(57)【要約】      （修正有）【課題】  プレイヤーとディスク格納部分を一体化できディスクをディスク格納部分に格納できプレイヤーとディスクを別々に持ち運ぶ必要がなくディスクの交換を簡単にできる。【解決手段】  プレイヤー本体部１に対して開閉可能とした液晶表示部２を有するパネル部３の背面側に、ディスクＤを２枚格納できる間隙部４を設け、間隙部の側面側に左右一対のディスク挿入用開口部４ａ、４ｂを形成し間隙部内に上下一対の略三角形状の回転係止部材を左右に設け、回転係止部材の軸部に回転係止部材を上方向と下方向に向けて付勢する上下のスプリングの一端を取り付け、回転係止部材のディスクに接する縁部は円弧状に形成され、パネル部の前面にプレイヤー本体内のディスクの内側縁に当接する円弧状縁を有する移動部材のスライドピンを移動部材がディスクの縁部に接したままで排出側に向けて移動するようにガイドする前面開口溝部が設けられている。【選択図】  図１
2006040392.tif 000002
【特許請求の範囲】
【請求項１】
プレイヤー内に複数のディスクを収納できるようにしたＤＶＤポータブルプレイヤーにおいて、プレイヤー本体部に対して開閉可能とした液晶表示部を有するパネル部の背面側に、ディスクを左右から一枚ずつ計２枚格納できる間隙部が設けられ、この間隙部の側面側に左右一対のディスク挿入用開口部が形成されており、前記間隙部内に、上下一対の略三角形状の回転係止部材が左右に設けられ、この回転係止部材の軸部に、この回転係止部材を上方向と下方向に向けて付勢する上下のスプリングの一端がそれぞれ取り付けられ、前記回転係止部材の前記ディスクに接する縁部は円弧状に形成されていて、前記ディスクをプレイヤー本体内に入れるときに、この円弧状縁が前記ディスクの縁部に接したままで回転して前記プレイヤー本体内に前記ディスクが格納されるようになっていて、前記パネル部の前面には、前記プレイヤー本体内のディスクの内側縁に当接する円弧状縁を有する移動部材のスライドピンを移動部材がディスクの縁部に接したままで排出側に向けて移動するようにガイドする前面開口溝部が設けられていることを特徴とするＤＶＤポータブルプレイヤー。
【請求項２】
プレイヤー内に複数のディスクを収納できるようにしたＤＶＤポータブルプレイヤーにおいて、プレイヤー本体部に対して開閉可能とした液晶表示部を有するパネル部の背面側に、ディスクを格納できる間隙部が設けられ、この間隙部の側面側にディスク挿入用開口部が形成されており、この間隙部内に、ディスクが格納された状態を保持する保持機構が設けられていることを特徴とするＤＶＤポータブルプレイヤー。  
【請求項３】
前記保持部材は、前記間隙部の上下にそれぞれ設けられるとともに略扇状に形成され、その軸部に前記保持部材を上下方向に向けて付勢するスプリングの一端が取り付けられ、前記ディスクを前記間隙部内に入れるときに、前記保持部材は上向きに移動され、前記ディスクが間隙部内に入り込んだときに、前記スプリングの付勢力で下側に移動されてそれぞれ一辺が前記ディスクの縁部に接してこのディスクを前記間隙部内に格納した状態で保持するようにした請求項２に記載のＤＶＤポータブルプレイヤー。
【請求項４】
前記間隙部内に、格納されたディスクの端部が直接触れないようにするための隔壁が設けられ、一方側のディスクはこの隔壁の前面側に入り込み、他方側のディスクはこの隔壁の裏面側に入り込むようにした請求項２又は３に記載のＤＶＤポータブルプレイヤー。
【発明の詳細な説明】
【技術分野】
【０００１】
本発明は、プレイヤー内に複数のディスクを収納できるようにしたＤＶＤポータブルプレイヤーに関するものである。
【背景技術】
【０００２】
従来のＤＶＤポータブルプレイヤーは、プレイヤーとディスク収納ケースとが別体になっていたために、プレイヤーとディスク収納ケースとを別々に持ち運ばなくてはならないという問題があった。
【０００３】
第１の従来技術を図９（ａ）（ｂ）、図１０（ａ）（ｂ）、図１１に示す。これは、シャーシ１１１の内部に、回動可能に設けられたディスク収納部１２０と、収納されたディスク１１６の配列方向に移動可能なディスク再生部１１４を有するオートチェンジャにおいて、ディスク収納部１２０の回動支点１１７を収納されたディスク１１６の中心付近に設け、ディスク収納部１２０に収納されたディスク１１６を交換するときは、ディスク入口１１９とシャーシ１１１の開口部１１８を一致させ、開口部１１８を通じてディスク１１６を収納する。また、ディスク１１６を再生するときは、ディスク入口１１９を再生部１１４側に向け、収納されたディスク１１６を再生すると共に、ディスク収納部１２０のディスク入口１１９以外の部分を扉としたものである。（例えば、特許文献１参照）。
【０００４】
ところが、これは、ディスク１１６を複数収納した状態で、ディスク再生部１１４を各ディスクの位置まで移動して再生していたものであった。
【特許文献１】特開平９−１９８７６９号公報
【発明の開示】
【発明が解決しようとする課題】
【０００５】
本発明は、上記従来の問題に鑑みてなされたものであって、プレイヤーとディスク格納部分とを一体化することができて、ディスクをこのディスク格納部分に格納することができ、プレイヤーとディスクを別々に持ち運ばなくてもよく、煩わしかったディスクの交換を簡単にできるＤＶＤポータブルプレイヤーを提供することを目的としている。
【課題を解決するための手段】
【０００６】
本発明は、上記課題を解決するために提案されたものであって、請求項１に記載の発明は、プレイヤー内に複数のディスクを収納できるようにしたＤＶＤポータブルプレイヤーにおいて、プレイヤー本体部に対して開閉可能とした液晶表示部を有するパネル部の背面側に、ディスクを左右から一枚ずつ計２枚格納できる間隙部が設けられ、この間隙部の側面側に左右一対のディスク挿入用開口部が形成されており、前記間隙部内に、上下一対の略三角形状の回転係止部材が左右に設けられ、この回転係止部材の軸部に、この回転係止部材を上方向と下方向に向けて付勢する上下のスプリングの一端がそれぞれ取り付けられ、前記回転係止部材の前記ディスクに接する縁部は円弧状に形成されていて、前記ディスクをプレイヤー本体内に入れるときに、この円弧状縁が前記ディスクの縁部に接したままで回転して前記プレイヤー本体内に前記ディスクが格納されるようになっていて、前記パネル部の前面には、前記プレイヤー本体内のディスクの内側縁に当接する円弧状縁を有する移動部材のスライドピンを移動部材がディスクの縁部に接したままで排出側に向けて移動するようにガイドする前面開口溝部が設けられていることを特徴としている。
【０００７】
請求項２に記載の発明は、プレイヤー内に複数のディスクを収納できるようにしたＤＶＤポータブルプレイヤーにおいて、プレイヤー本体部に対して開閉可能とした液晶表示部を有するパネル部の背面側に、ディスクを格納できる間隙部が設けられ、この間隙部の側面側にディスク挿入用開口部が形成されており、この間隙部内に、ディスクが格納された状態を保持する保持機構が設けられていることを特徴としている。  
【０００８】
請求項３に記載の発明は、前記保持部材は、前記間隙部の上下にそれぞれ設けられるとともに略扇状に形成され、その軸部に前記保持部材を上下方向に向けて付勢するスプリングの一端が取り付けられ、前記ディスクを前記間隙部内に入れるときに、前記保持部材は上向きに移動され、前記ディスクが間隙部内に入り込んだときに、前記スプリングの付勢力で下側に移動されてそれぞれ一辺が前記ディスクの縁部に接してこのディスクを前記間隙部内に格納した状態で保持するようにした。
【０００９】
請求項４に記載の発明は、前記間隙部内に、格納されたディスクの端部が直接触れないようにするための隔壁が設けられ、一方側のディスクはこの隔壁の前面側に入り込み、他方側のディスクはこの隔壁の裏面側に入り込むようにした。
【発明の効果】
【００１０】
請求項１に記載の発明によれば、液晶表示部を有するパネル部の背面側に、ディスクを２枚格納できる間隙部を設けたので、プレイヤーとディスク格納部分とを一体化することができて、ディスクをこのディスク格納部分に２枚格納することができ、プレイヤーとディスクを別々に持ち運ばなくてもよく、煩わしかったディスクの交換を簡単にできる。また、上下一対で左右の回転係止部材で格納された２枚のディスクを係止できるので、持ち運ぶ際に２枚のディスクが外部に飛び出ることを防ぐことができる。更に、スライドピンを前面開口溝部で外側に向けて移動することによって、回転係止部材とディスクの係止状態を解除して格納されていたディスクを簡単に取り出すことができる。
【００１１】
請求項２に記載の発明によれば、液晶表示部を有するパネル部の背面側に、ディスクを格納できる間隙部を設けたので、プレイヤーとディスク格納部分とを一体化することができて、ディスクをこのディスク格納部分に格納することができ、プレイヤーとディスクを別々に持ち運ばなくてもよく、煩わしかったディスクの交換を簡単にできる。また、間隙部に格納されたディスクを保持機構で保持できるので、持ち運ぶ際にディスクが外部に飛び出ることを防ぐことができる。
【００１２】
請求項３に記載の発明によれば、ディスクを間隙部内に簡単に入れることができ、しかも略扇状の保持部材でディスクを間隙部内に格納して保持できるので、持ち運ぶ際にディスクが外部に飛び出すことを防止できる。また、間隙部内にスプリングで付勢された略扇状の保持部材を設けただけなので、構造が簡単である。
【００１３】
請求項４に記載の発明によれば、間隙部内に隔壁を設けたので、この隔壁で間隙部内のディスクが直接接触することを防ぐことができる。
【発明を実施するための最良の形態】
【００１４】
以下、本発明に係るＤＶＤポータブルプレイヤーの実施の形態について、図を参照しつつ説明する。
【００１５】
図１は本発明の第１実施形態のＤＶＤポータブルプレイヤーの斜視図、図２は同プレイヤーの間隙部内にディスクを入れるときの状態を示す概略内部構造図、図３は同プレイヤーの間隙部内にディスクを入れる途中の状態を示す概略内部構造図、図４は同プレイヤーの間隙部内にディスクを格納した状態を示す概略内部構造図、図５は同プレイヤー内に格納されたディスクを取り出す状態を示し、（ａ）はディスクが間隙部内格納されている状態を示す部分構造図、（ｂ）はディスクを間隙部から取り出す状態を示す部分構造図である。
【００１６】
この第１実施形態のＤＶＤポータブルプレイヤーは、図１に示すように、プレイヤー本体部１に対して開閉可能とした液晶表示部２を有するパネル部３の背面側に、ディスクを左右から一枚ずつ計２枚格納できる間隙部４が設けられている。更にこの間隙部４の側面側に左右一対のディスク挿入用開口部４ａ、４ｂが形成されている。
【００１７】
図２、図３、図４に示すように、間隙部４内に上下一対の略三角形状の回転係止部材５が左右に設けられ、この回転係止部材５の軸部に、この回転係止部材５を上方向と下方向に向けて付勢する上下のスプリング６の一端がそれぞれ取り付けられている。更に、回転係止部材５のディスクＤに接する縁部５ａは円弧状に形成されている。
【００１８】
また、間隙部４内に、格納されたディスクＤの端部が直接触れないようにするための隔壁７が設けられ、一方側のディスクＤはこの隔壁７の前面側に入り込み、他方側のディスクＤはこの隔壁７の裏面側に入り込むようにしている。
【００１９】
また、図５（ａ）、（ｂ）に示すように、パネル部３の前面には、パネル部３内のディスクＤの内側縁に当接する円弧状縁を有する移動部材８のスライドピン９を移動部材８がディスクＤの縁部に接したままで排出側に向けて移動するようにガイドする前面開口溝部１０が設けられている。
【００２０】
この第１実施形態の動作について説明すると、図２に示すように、パネル部３内の間隙部４に左右から２枚のディスクＤを入れると、このディスクＤの周縁が回転係止部材５の円弧状の縁部５ａに当接する。図３に示すように、ディスクＤを入り込ませると、回転係止部材５が軸部を中心に回転し、この回転係止部材５の円弧状の縁部５ａがディスクＤの上下縁に位置するとともにスプリング６の付勢力に抗して回転係止部材５が上向きと下向きに移動する。
【００２１】
更にディスクＤを入れ込むと、図４に示すように、ディスクＤは間隙部４内に入り込んで、回転係止部材５がスプリング６の付勢力で若干下側に移動し、その縁部５ａがディスクＤの外側縁に接してディスクＤが間隙部４内に係止状態で格納される。また、格納された状態では、一方側のディスクＤの一部が隔壁７の前面側に入り込み、他方側のディスクＤの一部が隔壁７の裏面側に入り込むこととなる。
【００２２】
次に、ディスクＤを取り出すには、図５（ａ）（ｂ）に示すように、パネル部３の前面開口溝部１０から突出したスライドピン９を外側に向けて移動させると、スライドピン９と一体である移動部材８の円弧状縁にディスクＤの縁部が接しているので、ディスクＤがこの移動部材８に押されて外向きに移動することによって、左右のディスクＤを取り出すことができる。
【００２３】
従って、この第１実施形態によれば、ディスクＤを２枚格納できる間隙部４を設けたので、プレイヤーとディスク格納部分とを一体化することができて、ディスクＤをこのディスク格納部分に２枚格納することができ、プレイヤーとディスクＤを別々に持ち運ばなくてもよく、煩わしかったディスクＤの交換を簡単にできる。また、上下一対で左右の回転係止部材５で格納された２枚のディスクＤを係止できるので、持ち運ぶ際に２枚のディスクＤが外部に飛び出ることを防ぐことができる。
【００２４】
更に、スライドピン９を前面開口溝部１０で外側に向けて移動することによって、回転係止部材５とディスクＤの係止状態を解除して格納されていたディスクＤを簡単に取り出すことができる。また、間隙部４内に隔壁７を設けたので、この隔壁７で間隙部４内のディスクＤが直接接触することを防ぐことができる。
【００２５】
図６は第２実施形態のＤＶＤポータブルプレイヤーの間隙部内にディスクを入れるときの状態を示す概略内部構造図、図７は同プレイヤーの間隙部内にディスクを入れる途中の状態を示す概略内部構造図、図８は同プレイヤーの間隙部内にディスクを格納した状態を示す概略内部構造図である。
【００２６】
この第２実施形態のＤＶＤポータブルプレイヤーは、図６、図７、図８に示すように、パネル部３の裏面側に設けられた間隙部４内の左右に上下一対の略扇状の保持部材１１が配設され、この保持部材１１の軸部にスプリング６が取り付けられている。このスプリング６は保持部材１１を下方向と上方向に向けて付勢するものである。
【００２７】
図６に示すように、間隙部４内にディスクＤを入れるときに、このディスクＤの上下近傍の縁部が各保持部材１１に当接して、図７に示すように、この各保持部材１１がスプリング６の付勢力に抗して上向きと下向きに移動される。図８に示すように、ディスクＤが間隙部４内に格納されると、各保持部材１１が下向きと上向きに移動して、ディスクＤの縁部に当接してディスクＤが間隙部４内に格納された状態で保持される。
【００２８】
従って、図８に示す保持状態でプレイヤーを持ち運んでもディスクＤが外側に飛び出すことが防止される。また、間隙部４内にディスクＤを簡単に入れて格納保持することができる。更に、間隙部４内にスプリング６で付勢された略扇状の保持部材１１を設けただけなので、構造が簡単である。
【図面の簡単な説明】
【００２９】
【図１】本発明の第１実施形態のＤＶＤポータブルプレイヤーの斜視図である。
【図２】同プレイヤーの間隙部内にディスクを入れるときの状態を示す概略内部構造図である。
【図３】同プレイヤーの間隙部内にディスクを入れる途中の状態を示す概略内部構造図である。
【図４】同プレイヤーの間隙部内にディスクを格納した状態を示す概略内部構造図である。
【図５】同プレイヤー内に格納されたディスクを取り出す状態を示し、（ａ）はディスクが間隙部内格納されている状態を示す部分構造図、（ｂ）はディスクを間隙部から取り出す状態を示す部分構造図である。
【図６】第２実施形態のＤＶＤポータブルプレイヤーの間隙部内にディスクを入れるときの状態を示す概略内部構造図である。
【図７】同プレイヤーの間隙部内にディスクを入れる途中の状態を示す概略内部構造図である。
【図８】同プレイヤーの間隙部内にディスクを格納した状態を示す概略内部構造図である。
【図９】従来のディスクのオートチェンジャの扉が開放された状態を示し、（ａ）はその平面図、（ｂ）はその正面図である。
【図１０】同オートチェンジャの扉が閉じられた状態を示し、（ａ）はその平面図、（ｂ）はその正面図である。
【図１１】同オートチェンジャの概略斜視図である。
【符号の説明】
【００３０】
Ｄ        ディスク
１        プレイヤー本体部
２        液晶表示部
３        パネル部
４        間隙部
４ａ      ディスク挿入用開口部
４ｂ      ディスク挿入用開口部
５        回転係止部材
５ａ      縁部
６        スプリング
７        隔壁
８        移動部材
９        スライドピン
１０      前面開口溝部
１１      保持部材
【図１】
2006040392.tif 000003
【図２】
2006040392.tif 000004
【図３】
2006040392.tif 000005
【図４】
2006040392.tif 000006
【図５】
2006040392.tif 000007
【図６】
2006040392.tif 000008
【図７】
2006040392.tif 000009
【図８】
2006040392.tif 000010
【図９】
2006040392.tif 000011
【図１０】
2006040392.tif 000012
【図１１】
2006040392.tif 000013